(57)【特許請求の範囲】
【請求項１】
間隔を置いて設置された少なくとも一対の支柱と、該支柱間において水平であって、かつ、互いに平行に架設された一対の横架部材と、該横架部材に固定され、前記横架部材の長手方向と直角方向へ突出された片持ちの支持部材を備え、
前記支持部材は、該横架部材に保持される基端部と、該基端部から自由端へ向けて延在する物品支持部を備え、
一対の前記横架部材は、上下方向の寸法が前後方向の寸法よりも大きく形成されるとともに前記支持部材の突出方向において互いに前後して架設され、前に位置する一方の前記横架部材が前記基端部の下部を保持し、後に位置する他方の前記横架部材が前記基端部の上部を保持することを特徴とする物品用支持棚。
【請求項２】
一対の前記横架部材を互いに接続する連結部材が設けられたことを特徴とする請求項１記載の物品用支持棚。
【請求項３】
前記連結部材は、前記支持部材の近傍又は前記横架部材の長手方向の中間付近に設けられることを特徴とする請求項２記載の物品用支持棚。
【発明の詳細な説明】
【技術分野】
【０００１】
この発明は、物品用支持棚に関し、特に、物品を支持するための片持ちの支持部材を備えた物品用支持棚に関する。
【背景技術】
【０００２】
例えば、物流の分野では、物品を一時的に保管する手段として物品用支持棚を用いることが広く知られている。
従来の物品用支持棚としては、例えば、図６に示す自動倉庫における物品用支持棚６０が存在する。
図６に示す自動倉庫では、スタッカクレーン７０の走行軌道７１に沿うように、多数の物品用支持棚６０が配設されている。
物品用支持棚６０は基本的に４本の支柱６１、６２を備えており、物品用支持棚６０の背面側における支柱６２間には、スタッカクレーン７０の走行方向と一致する横架部材６３が横架されている。
そして、横架部材６３に基端部が固定され、走行軌道７１側へ向けて突出する複数の支持部材６４、６５が備えられている。
【０００３】
支柱６１、６２近傍の支持部材６４は、支柱６１、６２によりその両端部が保持される両持ちの支持部材であるが、支持部材６５は、横架部材６３に対して片持ちで支持され、各支持部材６５は同じ間隔を置いて互いに平行となるように配設されている。
支持部材６５の基端部は、図７に示すように、横架部材６３の側面に固定されている。
支持部材６４、６５は物品Ｗを支持する部材であり、保管される物品Ｗは複数の支持部材６４、６５上への載置により支持される。
なお、この自動倉庫では、各支柱６１、６２は隣合う物品用支持棚６０の共通の支柱となっている。
また、スタッカクレーン７０には、各支持部材６５の間に挿入される進退自在の櫛葉状のフォーク７２が備えられている。
【０００４】
この物品用支持棚６０によれば、両持ちの支持部材６４及び片持ちの支持部材６５により物品Ｗを載置できるようにしている。
特に、複数の支持部材６５が備えられることによりサイズの異なる物品Ｗを載置でき、スタッカクレーン７０による物品用支持棚６０に対する物品Ｗの出し入れを可能としている。
図７に示すように、物品Ｗが支持部材６４、６５に載置されると、支持部材６５が片持ちであることと相俟って、支持部材６５に作用する物品の荷重Ｆｗに基づくねじりモーメントＭａと曲げモーメントＭｂが横架部材６３に作用する（例えば、特許文献１を参照。）。
【０００５】
また、関連する別の従来技術として、例えば、特許文献２に開示されたハンガーラックが存在する。
このハンガーラックは、前板部と後板部とを有する柱部材と、柱部材に対して片持ち支持されるハンガー部材を備えている。
柱部材の前板部は貫通孔を備え、後板部は係合口を備えており、前板部に対してハンガー部材の根元部を貫通孔に貫通させ、後板部に対して係合口に契合させることによりハンガー部材の支持を実現している。
このハンガーラックでは、ハンガー部材の根元部における下面当接部分が前板部の貫通孔と当接し、上面当接部分が後板部における係合口と当接する。
このハンガーラックでは、ハンガー部材における上面当接部分と下面案内部分がハンガー部材の長手方向の前後に位置し、支柱の前後となる前板部材と後板部材がハンガー部材の荷重を受ける点が開示されている。
【特許文献１】実開平６−２０３２６号公報
【特許文献２】特開平１１−３２２０２８号公報
【発明の開示】
【発明が解決しようとする課題】
【０００６】
しかしながら、図７に示す従来の物品用支持棚では、支持部材の上に支持すべき物品を載せると、物品の荷重により支持部材を通じて横架部材に対する曲げモーメントやねじりモーメントが生じる。
こうしたモーメントは、横架部材の曲げやねじりを発生させることになり、横架部材のねじりや曲げが僅かであっても、支持部材の突出端の上下方向の位置を大きく変えるおそれがある。
物品の有無により支持部材の突出端の位置が変わることは、例えば、スタッカクレーン等の自動化設備により物品を取り扱う際の不都合を招いたり、物品が傾くなど物品の姿勢が不安定となる。
このため、横架部材の断面径を大きくしたり、横架部材を閉断面形とする等、曲げやねじりに抗し得る程度の剛性を横架部材に持たせるようにしているが、これにより横架部材の形状やサイズが特定され、横架部材の重量増大が避けられないという問題があった。
【０００７】
一方、特許文献２に開示されたハンガーラックでは、前板部材と後板部材がハンガー部材の荷重を受ける点が開示されているものの、特許文献１のように、支柱間に横架された横架部材における支柱と対応しない位置に片持ちの支持部材を設ける場合には、支柱がないことから特許文献２の技術を直ちに適用することができない。
【０００８】
本発明は上記の問題点に鑑みてなされたもので、本発明の目的は、支柱間に横架され、片持ちの支持部材を支持する横架部材の軽量化を図りつつ、物品の荷重に基づく曲げモーメントやねじりモーメントによる支持部材への影響を低減することができる物品用支持棚の提供にある。
【課題を解決するための手段】
【０００９】
上記課題を解決するため、請求項１記載の発明は、間隔を置いて設置された少なくとも一対の支柱と、該支柱間において水平であって、かつ、互いに平行に架設された一対の横架部材と、該横架部材に固定され、前記横架部材の長手方向と直角方向へ突出された片持ちの支持部材を備え、前記支持部材は、該横架部材に保持される基端部と、該基端部から自由端へ向けて延在する物品支持部を備え、一対の前記横架部材は、上下方向の寸法が前後方向の寸法よりも大きく形成されるとともに前記支持部材の突出方向において互いに前後して架設され、前に位置する一方の前記横架部材が前記基端部の下部を保持し、後に位置する他方の前記横架部材が前記基端部の上部を保持することを特徴とする。
【００１０】
請求項１記載の発明によれば、片持ちの支持部材は、支柱間に横架される一対の横架部材により保持されるが、支持部材の突出方向において互いに前後する一対の横架部材は、上下方向の寸法が前後方向の寸法よりも大きく形成され、前に位置する一方の横架部材が支持部材の基端部の下部を保持し、後に位置する他方の横架部材が支持部材の基端部の上部を保持する。
支持部材に作用する物品の荷重は、一対の横架部材が受ける応力に分散され、従来のように、支持部材の基端部における特定の一箇所に応力が集中することがない。
支持部材の基端部では、横架部材により保持される上部及び下部において、支持部材を横架部材に対して上下方向に押し付ける応力が生じる。
つまり、物品の荷重に基づくねじりモーメントを各横架部材に作用する上下方向の応力に変換し、横架部材に対するねじりモーメントを規制する。
このため、支持部材を横架部材の側面に単に固定する従来と比較して、各横架部材に対するねじりモーメントは抑制され、各横架部材の軽量化を図ることが可能となる。
また、片持ちの支持部材を上部及び下部において押し付けるようにした物品用支持棚は、横架部材から支持部材を脱落しにくくするとともに物品用支持棚における構造上の強度を維持する上で有利である。
さらに、一方の横架部材が他方の横架部材よりも前方に位置して基端部の下部を保持するから、支持部材における物品支持部を大きく設定することができる。
また、一対の横架部材は上下方向の寸法が前後方向の寸法よりも大きく形成されているため、上下方向の応力が一対の横架部材に生じても一対の横架部材の上下方向の変位や変形が防止される。
【００１３】
請求項２記載の発明は、請求項１記載の物品用支持棚において、一対の前記横架部材を互いに接続する連結部材が設けられたことを特徴とする。
【００１４】
請求項２記載の発明によれば、連結部材が一対の横架部材を互いに接続することにより、各横架部材の剛性が向上し、特に、物品を支持部材が支持するとき、各横架部材が受ける応力に対して横架部材の変形や変位を防止する。
つまり、横架部材の剛性の向上により、物品の荷重に基づく上下方向の曲げモーメントを規制することができる。
【００１５】
請求項３記載の発明は、請求項２記載の物品用支持棚において、前記連結部材は、前記支持部材の近傍又は前記横架部材の長手方向の中間付近に設けられることを特徴とする。
【００１６】
請求項３記載の発明によれば、連結部材が支持部材の近傍又は横架部材の長手方向の中間付近に設けられるから、横架部材における長手方向の中間付近や支持部材の近傍のように、横架部材に作用する上下方向の応力により変形又は変位し易い部位について、その変形や変位が抑制される。
【発明の効果】
【００１７】
本発明によれば、支柱間に横架され、片持ちの支持部材を支持する横架部材の軽量化を図りつつ、物品の荷重に基づく曲げモーメントやねじりモーメントによる支持部材への影響を低減することができる物品用支持棚を提供することができる。また、横架部材から支持部材を脱落しにくくするとともに物品用支持棚における構造上の強度を維持する上で有利である。さらに、一方の横架部材が他方の横架部材よりも前方に位置して基端部の下部を保持するから、支持部材における物品支持部を大きく設定することができる。また、一対の横架部材は上下方向の寸法が前後方向の寸法よりも大きく形成されているため、上下方向の応力が一対の横架部材に生じても一対の横架部材の上下方向の変位や変形が防止される。
【発明を実施するための最良の形態】
【００１８】
（第１の実施形態）
以下、実施形態に係る物品用支持棚１０について図１〜図４に基づき説明する。
この実施形態の物品用支持棚１０は、図１に示すように、前後に設置された左右一対の支柱１１、１２と、後側の支柱１２間において横架される後部横架部材１３、１４と、前後の支柱１１、１２間において横架される側部横架部材１７と、横架部材１３、１４及び前側の支柱１１により水平に保持された両持ちの側部支持部材１８と、後部横架部材１３、１４により水平に保持される片持ちの中央支持部材２２から主に構成されている。
この実施形態では、左右方向に連続して物品用支持棚１０が設けられることから、各支柱１１、１２は隣り合う物品用支持棚１０の共通の支柱となっている。
【００１９】
〔支柱について〕
前側の支柱１１（説明の便宜上、以後「前部支柱１１」と表記する）は、互いに平行となるように間隔を置いて立設され、前部支柱１１間には、物品用支持棚に１０対して物品を出し入れするための間口を形成している。
前部支柱１１は、断面が矩形の金属製の角材である。
後側の支柱１２（説明の便宜上、以後「後部支柱１２」と表記する）も互いに平行となるように間隔を置いて前部支柱１１の後方となるように立設されている。
このため、後部支柱１２間の間隔は前部支柱間１１の間隔とほぼ対応する。
【００２０】
後部支柱１２は、前部支柱１１と同様に断面が矩形の角材であるが、この実施形態では、前部支柱１１よりも寸法が大きく設定されている。
前部支柱１１と後部支柱１２との間には、側部横架部材１７が横架されているが、この実施形態では側部横架部材１７の端部が前部支柱１１及び後部支柱１２と直接固定されている。
側部横架部材１７を設けることにより物品用支持棚１０における前後方向の剛性を強化している。
【００２１】
〔後部横架部材について〕
後部支柱１２間には、一対の後部横架部材１３、１４が互いに平行に架設されている。
後部横架部材１３、１４は、片持ちの支持部材を保持する横架部材に相当する。
この実施形態の横架部材１３、１４は、後部支柱１２間の間隔にほぼ対応する長さを有する長尺の板状部材であり、幅寸法が厚さの寸法よりも十分に大きく設定されている。
この実施形態では、後部支柱１２の前面に取り付けた前面ブラケット１５及び後面に取り付けた後面ブラケット１６を介して各横架部材１３、１４を後部支柱１２に架設している。
後部横架部材１３は前面ブラケット１５に固定され、後部横架部材１４は後面ブラケット１６に固定されている。
この実施形態では、説明の便宜上、前面ブラケット１５に固定される一方の後部横架部材１３を第１横架部材１３とし、後面ブラケット１６に固定される他方の後部横架部材１４を第２横架部材１４とする。
【００２２】
これらの第１横架部材１３及び第２横架部材１４は、図２に示すように、第１横架部材１３及び第２横架部材１４の上下方向の寸法が前後方向の寸法よりも十分に大きくなるように各ブラケット１５、１６に固定される。
これにより、上下方向の応力が第１横架部材１３及び第２横架部材１４に生じても第１横架部材１３及び第２横架部材１４の上下方向の変位や変形が防止される。
後部支柱１２に対する前面ブラケット１５の取り付け位置は、図２及び図３に示すように、後面ブラケット１６の取り付け位置よりも低い位置にある。
従って、第１横架部材１３及び第２横架部材１４の前後間及び上下間には一定の間隙が夫々形成され、言わば、第１横架部材１３及び第２横架部材１４は、互いに段違いの平行であると言える。
【００２３】
〔側部支持部材について〕
ところで、側部支持部材１８が、第１横架部材１３及び第２横架部材１４と、前側の支柱１１側と両持ちの状態で保持されることを既に述べたが、側部支持部材１８は、物品Ｗ等を支持する物品支持部１９を備えた部材である。
この実施形態の側部支持部材１８は、前後の支柱１１、１２間の間隔にほぼ対応する長さを有した断面矩形の角材であり、側部支持部材１８の上面が物品支持部１９に相当する。
側部支持部材１８は、第１横架部材１３及び第２横架部材１４から前方へ向けて水平に設けられることから、図１に示すように、側部横架部材１７と平行である。
【００２４】
このため、側部支持部材１８は第１横架部材１３及び第２横架部材１４に対して直角方向であり、第１横架部材１３及び第２横架部材１４の端部は側部支持部材１８の後端部を保持する。
側部支持部材１８の後端部は、前後位置が異なる第１横架部材１３及び第２横架部材１４により上下から挟まれる状態にある。
そして、第２横架部材１４は側部支持部材１８の後端部の上部と接合され、後部横架部材１３は側部支持部材１８の後端部の下部と接合されている。
つまり、側部支持部材１８は第１横架部材１３の上で交差し、側部支持部材１８の後端部が第２横架部材１４の下に位置する。
従って、側部支持部材１８の高さは第１横架部材１３の上下の間隔と対応し、換言すると、第１横架部材１３及び第２横架部材１４は側部支持部材１７の高さに対応して配設された状態にある。
【００２５】
一方、側部支持部材１８の前端部は前部支柱１１に取り付けられるが、この実施形態では、前部支柱１１に取り付けた水平取付部材２０と、水平取付部材２０上に設けた水平ブラケット２１を介して側部支持部材１８の前端部が保持される。
水平取付部材２０は、断面矩形の角材であり、側部横架部材１７の前端部の上方を交差する。
水平ブラケット２１は水平取付部材２０に取り付けられる板状部材であり、側部支持部材１８の前端部下面を支持して固定する。
このように、側部支持部材１８は、第１横架部材１３及び第２横架部材１４により後端部が保持されるとともに、水平取付部材２０及び水平ブラケット２１を介して前部支柱１１により前端部が保持され、両持ちにより保持される状態にある。
【００２６】
〔中央支持部材について〕
次に、中央支持部材２２について説明する。
中央支持部材２２は、第１横架部材１３及び第２横架部材１４により水平に保持される片持ちの支持部材に相当する。
この実施形態では、中央支持部材２２は、基本的に側部支持部材１８と同じ形状と寸法を有する角材であり、物品Ｗを支持する物品支持部２３を有する。
中央支持部材２２の後端部から前端部に延在する上面が物品支持部２３に相当する。
中央支持部材２２は、第１横架部材１３及び第２横架部材１４から前方へ向けて水平に突出されるから、側部支持部材１８と平行であり、また、後部横架部材１３、１４の長手方向と直角の向きとなっている。
中央支持部材２２の後端部は、第１横架部材１３及び第２横架部材１４により保持されるから基端部に相当する。
中央支持部材２２の基端部が保持される位置は、第１横架部材１３及び第２横架部材１４の長手方向における中央となっている。
このため、中央支持部材２２の両側には、側部支持部材１８との間隔が夫々形成されている。
一方、中央支持部材２２の前端部は自由端となっているため、この前端部の周囲には中央支持部材２２と干渉する部材は存在しない。
【００２７】
中央支持部材２２の後端部は、図２及び図４に示すように、前後位置が異なる後部横架部材１３、１４によりように上下から挟まれる状態にある。
つまり、図１に示すように平面視した場合には、中央支持部材２２は第１横架部材１３及び第２横架部材１４の上で交差し、後端部が第２横架部材１４の下に位置する。
そして、第２横架部材１４と中央支持部材２２の後端部の上部が接合される後部接合部２５と、後部接合部２５の前方であって、第１横架部材１３と中央支持部材２２の後端部の下部が接合される前部接合部２４が形成されている。
従って、中央支持部材２２の高さは第１横架部材１３及び第２横架部材１４の上下の間隔と対応し、換言すると、第１横架部材１３及び第２横架部材１４は中央支持部材２２の高さに対応して配設された状態にある。
このように、中央支持部材２２は、第１横架部材１３及び第２横架部材１４により基端部である後端部が保持されるが、その前端部は自由端であり、片持ちで保持される状態にある。
【００２８】
〔連結部材について〕
この実施形態の物品用支持棚１０は、図１〜図３に示すように、一対の後部横架部材１３、１４を互いに接続する連結部材２６を備えている。
この実施形態の連結部材２６は、第１横架部材１３及び第２横架部材１４の長手方向において垂設される板状の部材である。
連結部材２６は、第１横架部材１３及び第２横架部材１４の間における上下及び前後の間隔を一定に保つように、第１横架部材１３及び第２横架部材１４の間に介在されている。
この実施形態では、複数の連結部材２６が、第１横架部材１３及び第２横架部材１４の長手方向において適宜の間隔を保って設けられている。
具体的には、側部支持部材１８の近傍と、中央支持部材２２の両側と、側部支持部材１８と中央支持部材２２の間に夫々連結部材２６が配設されている。
連結部材２６は、第１横架部材１３と第２横架部材１４との間隔を強制的に保持させ、第１横架部材１３及び第２横架部材１４における上下及び前後方向の変位や変形をさらに防止する機能を有する。
【００２９】
次に、この実施形態に係る物品用支持棚１０の作用について説明する。
物品Ｗを側部支持部材１８及び中央支持部材２２により支持すると、物品Ｗの荷重Ｆｗが側部支持部材１８及び中央支持部材２２に作用する。
側部支持部材１８では、側部支持部材１８が分担する物品Ｗの荷重Ｆｗは、側部支持部材１８の前端部及び後端部において受け止められ、側部支持部材１８を回転させようとするねじりモーメントは生じない。
【００３０】
一方、中央支持部材２２が分担する物品Ｗの荷重Ｆｗは、中央支持部材２２が片持ちであることから、その後端部を支点として中央支持部材２２を回転させようとするねじりモーメントが生じる。
図４に示すように、第２横架部材１４と中央支持部材２２との後部接合部２５では、中央支持部材２２を第２横架部材１４に押し付ける上向きの応力Ｆｂが生じ、第１横架部材１３と中央支持部材２２との前部接合部２４では、中央支持部材２２を第１横架部材１３に押し付ける下向きの応力Ｆａが生じる。
つまり、前部接合部２４において第１横架部材１３を下方へ向かわせようとする応力Ｆａと、後部接合部２５において第２横架部材１４を上方へ向かわせようとする応力Ｆｂは、第１横架部材１３及び第２横架部材１４の上下方向への曲げモーメントとなり、両者１３、１４の間隔を拡張させようとしたり、場合によっては、第１横架部材１３及び第２横架部材１４を傾斜させて第１横架部材１３と第２横架部材１４との前後方向の間隔を拡張させようとする。
【００３１】
第１横架部材１３及び第２横架部材１４は、上下方向の十分な寸法を有することから、これらの応力Ｆａ、Ｆｂに対して十分に対抗することができ、第１横架部材１３及び第２横架部材１４の上下及び前後方向の間隔の拡張を規制する。
つまり、第１横架部材１３及び第２横架部材１４は、物品Ｗの支持に伴う応力Ｆａ、Ｆｂを受けても上下方向の変位や変形を生じない。
このように、物品用支持棚１０では、中央支持部材２２を回転させようとするねじりモーメントを、前部接合部２４及び後部接合部２５を通じて、第１横架部材１３及び第２横架部材１４に作用する上下方向の応力Ｆａ、Ｆｂに変換している。
さらに、側部支持部材１８及び中央支持部材２２が物品を支持する際、前部接合部２４及び後部接合部２５を通じて第１横架部材１３及び第２横架部材１４に作用する応力Ｆａ、Ｆｂが、第１横架部材１３と第２横架部材１４との上下方向の間隔を主に拡張しようとするが、連結部材２６はこの拡張を妨げる。
特に、中央支持部材２２の近傍や第１横架部材１３及び第２横架部材１４の長手方向の中心付近に連結部材２６が設けられていることにより、第１横架部材１３及び第２横架部材１４における拡張し易い部位の拡張が効果的に防止される。
【００３２】
この実施形態に係る物品用支持棚１０によれば以下の効果を奏する。
（１）中央支持部材２２における物品Ｗの荷重Ｆｗは、中央支持部材２２の後端部における第１横架部材１３及び第２横架部材１４により分散され、中央支持部材２２の基端部である後端部において、特定の一箇所に応力が集中することがない。
つまり、物品Ｗを支持する際に生じる中央支持部材２２を回転させようとするねじりモーメントは、前部接合部２４及び後部接合部２５を通じて、第１横架部材１３及び第２横架部材１４に作用する上下方向の応力Ｆａ、Ｆｂに変換されるから、中央支持部材を横架部材の側面に単に固定する従来と比較して、第１横架部材１３及び第２横架部材１４に対するねじりモーメントは抑制され、第１横架部材１３及び第２横架部材１４の軽量化を図ることが可能となる。
（２）第１横架部材１３は、第２横架部材１４よりも前方に位置し、第１横架部材１３は中央支持部材２２の基端部の下部を保持し、他方の第２横架部材１４は、基端部の上部を保持するから、中央支持部材２２における物品支持部２３を大きく設定することができる。
【００３３】
（３）連結部材２６が第１横架部材１３及び第２横架部材１４を互いに接続することにより、第１横架部材１３及び第２横架部材１４の剛性が向上するから、特に、物品Ｗを中央支持部材２２が支持するとき、第１横架部材１３及び第２横架部材１４が受ける応力Ｆａ、Ｆｂに対して第１横架部材１３及び第２横架部材１４の変形や変位を防止する。つまり、第１横架部材１３及び第２横架部材１４の剛性の向上により、物品Ｗの荷重Ｆｗに基づく上下方向の曲げモーメントを規制することができる。
（４）連結部材２６が中央支持部材２２の近傍又は第１横架部材１３及び第２横架部材１４の長手方向の中間付近に設けられるから、第１横架部材１３及び第２横架部材１４における長手方向の中間付近や中央支持部材２２の近傍のように、第１横架部材１３及び第２横架部材１４に作用する上下方向の応力Ｆａ、Ｆｂにより変形又は変位し易い部位について、その変形や変位を抑制することができる。
【００３４】
（参考例１〜３）
次に、参考例１〜３に係る物品用支持棚３０、４０、５０について図５に基づき説明する。
参考例１〜３に係る物品用支持棚３０、４０、５０は、中央支持部材の後部横架部材による保持が異なる点を除き、第１の実施形態の物品用支持棚１０と構成とほぼ共通する。
なお、参考例１〜３では、共通する一部の要素については、第１の実施形態の説明を援用し、説明の便宜上、共通の符号を用いる。
【００３５】
図５（ａ）は参考例１に係る物品用支持棚３０の要部を示す図であり、中央支持部材２２１と後部横架部材１３１、１４１の関係を示している。
中央支持部材２２１は、第１の実施形態の中央支持部材２２と同一であり、また、後部横架部材１３１、１４１は第１の実施形態の後部横架部材１３、１４と同一である。
従って、後部横架部材１３１は第１横架部材１３１とし、後部横架部材１４１は、第２横架部材１４１である。
参考例１では、後面ブラケット１６を介して後部支柱１２に架設される第２横架部材１４１は、前面ブラケット１５を介して前部支柱１１に架設される第１横架部材１３１よりも低い位置となっている。
第１横架部材１３１と第２横架部材１４１との前後間には一定の間隙が形成され、上下間には一定の間隙が形成され、第１横架部材１３１及び第２横架部材１４１は互いに段違いの平行となっている。
【００３６】
中央支持部材２２１は、第１横架部材１３１及び第２横架部材１４１により水平に保持される片持ちの支持部材に相当し、中央支持部材２２１の上面は物品支持部２３１に相当する。
中央支持部材２２１は、第１横架部材１３１及び第２横架部材１４１から前方へ向けて水平に設けられる。
【００３７】
中央支持部材２２１の前端部は自由端となっており、中央支持部材２２１の後端部は第１横架部材１３１及び第２横架部材１４１により保持されている。
中央支持部材２２１の後端部は、前後位置が異なる第１横架部材１３１及び第２横架部材１４１により上下から挟まれる状態にある。
そして、第２横架部材１４１と中央支持部材２２１の後端部の上部が接合される後部接合部３２と、後部接合部３２の前方であって第１横架部材１３１と中央支持部材２２１の後端部の下部が接合される前部接合部３１が形成されている。
このように、中央支持部材２２１は、第１横架部材１３１及び第２横架部材１４１により片持ちで保持される状態にある。
【００３８】
この物品用支持棚３０に物品Ｗを載置すると、第２横架部材１４１と中央支持部材２２１との後部接合部３２では、中央支持部材２２１を第２横架部材１４１から引き離そうとする上向きの応力Ｆｄが生じ、第１横架部材１３１と中央支持部材２２１との前部接合部３１では、中央支持部材２２１を第１横架部材１３１から引き離そうとする下向きの応力Ｆｃが生じる。
つまり、前部接合部３１において第１横架部材１３１を下方へ向かわせようとする応力Ｆｃと、後部接合部３２において第２横架部材１４１を上方へ向かわせようとする応力Ｆｄは、第１横架部材１３１及び第２横架部材１４１の上下方向の間隔を狭くしようとする。
【００３９】
第１横架部材１３１及び第２横架部材１４１は、上下方向の十分な寸法を有することから、これらの応力Ｆｃ、Ｆｄに対して十分に対抗することができ、第１横架部材１３１と第２横架部材１４１との上下及び前後方向の間隔を狭くすることを妨げる。
このように、物品用支持棚３０では、中央支持部材２２１を回転させようとするねじりモーメントを、前部接合部３１及び後部接合部３２を通じて、第１横架部材１３１及び第２横架部材１４１に作用する上下方向の応力Ｆｃ、Ｆｄに変換している。
【００４０】
次に、参考例２について説明する。
図５（ｂ）は参考例２に係る物品用支持棚４０の要部を示す図であり、中央支持部材２２２と第１横架部材１３２及び第２横架部材１４２４の関係を示している。
中央支持部材２２２は、第１の実施形態の中央支持部材２２と同一であり、また、後部横架部材１３２、１４２は第１の実施形態の後部横架部材１３、１４と同一である。
従って、後部横架部材１３２は第１横架部材１３２とし、後部横架部材１４２は、第２横架部材１４２である。
参考例２では、後面ブラケット１６を介して後部支柱１２に架設される第２横架部材１４２と、前面ブラケット１５を介して後部支柱１２に架設される第１横架部材１３２が同じ高さとなっている。
第１横架部材１３２と第２横架部材１４２との前後間には一定の間隙が形成され、一対の第１横架部材１３２及び第２横架部材１４２は前後に平行となっているが、上下間には間隙が形成されない。
【００４１】
中央支持部材２２２は、第１横架部材１３２及び第２横架部材１４２により水平に保持される片持ちの支持部材に相当し、中央支持部材２２２の上面は物品支持部２３２に相当する。
中央支持部材２２２は、第１横架部材１３２及び第２横架部材１４２から前方へ向けて水平に設けられる。
【００４２】
中央支持部材２２２の前端部は自由端となっており、前後位置が異なる下方の第１横架部材１３２及び第２横架部材１４２に下方から固定されている状態にある。
そして、第１横架部材１３２と中央支持部材２２２の後端部の下部が接合される後部接合部４２と、後部接合部４２の前方であって第２横架部材１４２と中央支持部材２２２の後端部の下部が接合される前部接合部４１が形成されている。
このように、中央支持部材２２２は、第１横架部材１３２及び第２横架部材１４２により片持ちで保持される状態にある。
【００４３】
第２横架部材１４２と中央支持部材２２２との後部接合部４２では、中央支持部材２２２を第２横架部材１４２から引き離そうとする上向きの応力Ｆｆが生じ、第１横架部材１３２と中央支持部材２２２との前部接合部４１では、中央支持部材２２２を第１横架部材１３２に押し付ける下向きの応力Ｆｅが生じる。
つまり、前部接合部４１において第１横架部材１３２を下方へ向かわせようとする応力Ｆｅと、後部接合部４２において第２横架部材１４２を上方へ向かわせようとする応力Ｆｆは、第１横架部材１３２及び第２横架部材１４２の上下方向の位置を変えようとする。
【００４４】
第１横架部材１３２及び第２横架部材１４２は、上下方向の十分な寸法を有することから、これらの応力Ｆｅ、Ｆｆに対して十分に対抗することができ、第１横架部材１３２及び第２横架部材１４２の上下方向の変位や変形を規制する。
このように、物品用支持棚４０では、中央支持部材２２２を回転させようとするねじりモーメントを、前部接合部４１及び後部接合部４２を通じて、第１横架部材１３２及び第２横架部材１４２に作用する上下方向の応力Ｆｅ、Ｆｆに変換している。
【００４５】
次に、参考例３について説明する。
図５（ｃ）は参考例３に係る物品用支持棚５０の要部を示す図であり、中央支持部材２２３と第１横架部材１３３及び第２横架部材１４３の関係を示している。
中央支持部材２２３は、第１の実施形態の中央支持部材２２と同一であり、また、後部横架部材１３３、１４３は第１の実施形態の後部横架部材１３、１４と同一である。
従って、後部横架部材１３３は第１横架部材１３３とし、後部横架部材１４３は、第２横架部材１４３である。
参考例３では、後面ブラケット１６を介して後部支柱１２に架設される第２横架部材１４３と、前面ブラケット１５を介して後部支柱１２に架設される第１横架部材１３３が同じ高さとなっている。
第１横架部材１３３と第２横架部材１４３との前後間には一定の間隙が形成され、一対の第１横架部材１３３及び第２横架部材１４３は前後に平行となっているが、上下方向の間隙は形成されない。
【００４６】
中央支持部材２２３は、第１横架部材１３３及び第２横架部材１４３により水平に保持される片持ちの支持部材に相当し、中央支持部材２２３の上面は物品支持部２３３に相当する。
中央支持部材２２３は、第１横架部材１３３及び第２横架部材１４３から前方へ向けて水平に設けられる。
【００４７】
中央支持部材２２３の後端部は、図５（ｃ）に示すように、前後位置が異なる上方の第１横架部材１３３及び第２横架部材１４３に固定されている。
そして、第１横架部材１３３と中央支持部材２２３の後端部の上部が接合される後部接合部５２と、後部接合部５２の前方であって第１横架部材１３３と中央支持部材２２３の後端部の上部が接合される前部接合部５１が形成されている。
このように、中央支持部材２２３は、第１横架部材１３３及び第２横架部材１４３により後端部が保持されるが、前端部は自由端となって、片持ちで保持される状態にある。
【００４８】
第２横架部材１４３と中央支持部材２２３との後部接合部５２では、中央支持部材２２３を第２横架部材１４３に押し付ける上向きの応力Ｆｈが生じ、第１横架部材１３３と中央支持部材２２３との前部接合部５１では、中央支持部材２２３から第１横架部材１３３を引き離そうとする下向きの応力Ｆｇが生じる。
つまり、前部接合部５１において第１横架部材１３３を下方へ向かわせようとする応力Ｆｇと、後部接合部５２において第２横架部材１４３を上方へ向かわせようとする応力Ｆｈは、第１横架部材１３３及び第２横架部材１４３の上下方向の位置を変えようとする。
【００４９】
第１横架部材１３３及び第２横架部材１４３は、上下方向の十分な寸法を有することから、これらの応力Ｆｇ、Ｆｈに対して十分に対抗することができ、第１横架部材１３３及び第２横架部材１４３の上下方向の変位や変形を規制する。
このように、物品用支持棚５０では、中央支持部材２２３を回転させようとするねじりモーメントを、前部接合部５１及び後部接合部５２を通じて、第１横架部材１３３及び第２横架部材１４３に作用する上下方向の応力に変換している。
参考例１〜３に係る物品用支持棚３０、４０、５０は、基本的に第１の実施形態の効果（１）と同等の効果を奏する。
物品支持部２３３を大きく設定する場合、中央支持部２２３の上部に何も設けられない参考例１の物品用支持棚４０が好適である。
【００５０】
なお、本発明は、上記した第１の実施形態に限定されるものではなく発明の趣旨の範囲内で種々の変更が可能であり、例えば、次のように変更してもよい。
○  第１の実施形態及び参考例１〜３では、後部横架部材を長尺の板状としたが、後部横架部材の形状は特に問われない。少なくとも後部横架部材としての機能を有する部材であればよく、例えば、断面が、円形状、管状、多角形状、略Ｈ系、略Ｌ形等の後部横架部材を用いてもよく、開断面、閉断面のいずれの断面形態でも選択できる。
○  第１の実施形態及び参考例１〜３では、片持ちの支持部材は、一対の後部横架部材、すなわち２本の後部横架部材により支持されるとしたが、後部横架部材は２本以上であればよくその数に制限はない。但し、後部横架部材の数が増えても、全ての後部横架部材の重量が従来の横架部材の重量よりも軽くなる範囲とすることが好ましい。
○  第１の実施形態及び参考例１〜３では、後部横架部材と中央支持部材と具体的な固定について言及しなかったが、後部横架部材と中央支持部材の固定については、例えば、ブラケット、ボルト等を用いた固定とすればよく、あるいは、溶接による固定としてもよい。溶接による固定の場合、溶接の際に生じがちな熱の歪を除去または考慮して両者の固定を図ることが好ましい。熱の歪のために中央支持部材の前端部の上下方向の位置が狂うためである。
○  第１の実施形態では、片持ちの支持部材としての中央支持部材を１本としたが、片持ちの支持部材は複数としてよく、また、片持ちの支持部材として角材に限らず、板状、丸棒状等の形態を呈する片持ち支持部材としてもよい。
○  第１の実施形態では、支持部材として両持ちの側部支持部材を備えるようにしたが、側部支持部材を片持ちとしてもよく、また、両持ちの側部支持部材とする場合、第１の実施形態に示した側部支持部材に限定されず、側部支持部材の形状や種類は適宜自由である。
○  第１の実施形態では、板状の連結部材を用いたが、必ずしも板状に限定されない。少なくとも連結部材としての機能を果たすものであれば、形状は特に問われない。また、参考例１〜３において後部横架部材の配置状態に応じた連結部材を用いてもよい。
【図面の簡単な説明】
【００５１】
【図１】第１の実施形態に係る物品用支持棚の平面図である。
【図２】第１の実施形態に係る物品用支持棚の一部を破断して示した側面図である。
【図３】第１の実施形態に係る物品用支持棚の正面図である。
【図４】第１の実施形態に係る物品用支持棚の作用を説明する概略側面図である。
【図５】参考例１〜３に係る物品用支持棚の作用を説明する概略側面図である。
【図６】従来の物品用支持棚を含む自動倉庫の概要を示す平面図である。
【図７】従来の物品用支持棚の作用を説明する概略側面図である。
【符号の説明】
【００５２】
１０、３０、４０、５０、６０  物品用支持棚
１１、１２、６１、６２  支柱
１３、１３１、１３２、１３３  後部横架部材（第１横架部材）
１４、１４１、１４２、１４３  後部横架部材（第２横架部材）
１５  前面ブラケット
１６  後面ブラケット
１７  側部横架部材
１８  側部支持部材
１９、２３、２３１、２３２、２３３  物品支持部
２０  水平取付部材
２１  水平ブラケット
２２、２２１、２２２、２２３  中央支持部材
２４、３１、４１、５１  前部接合部
２５、３２、４２、５２  後部接合部
２６  連結部材
６４、６５  支持部材
７０  スタッカクレーン
７１  走行軌道
７２  フォーク
Ｆａ、Ｆｂ、Ｆｃ、Ｆｄ、Ｆｅ、Ｆｆ、Ｆｇ、Ｆｈ  応力
Ｆｗ  荷重
Ｗ  物品
【図１】
0004655817.tif 000002
【図２】
0004655817.tif 000003
【図３】
0004655817.tif 000004
【図４】
0004655817.tif 000005
【図５】
0004655817.tif 000006
【図６】
0004655817.tif 000007
【図７】
0004655817.tif 000008